(57)【特許請求の範囲】
【請求項１】
ソース機器と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して前記ソース機器に接続されたシンク機器とを含むＡＶ信号送受信システムであって、
前記ソース機器は、
前記シンク機器の能力を示すデータであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、前記ＨＤＭＩ（登録商標）ケーブルを介して前記シンク機器から読み出す読出部と、
読み出された前記ＥＤＩＤを解析する解析部と、
前記ＨＤＭＩ（登録商標）ケーブルを介してＡＶ信号を前記シンク機器に送信する送信部と、
前記ＥＤＩＤの解析結果に応じたＡＶ信号の送信を前記送信部に命令するとともに、前記シンク機器から前記ＨＤＭＩ（登録商標）ケーブルを介して受信されるＨＰＤ（Ｈｏｔ  Ｐｌｕｇ  Ｄｅｔｅｃｔ）信号に応じて、前記ＥＤＩＤの読み出しを前記読出部に命令する制御部とを備え、
前記シンク機器は、
前記ＨＤＭＩ（登録商標）ケーブルを介して前記ＡＶ信号を受信する受信部と、
前記ＥＤＩＤを保持するメモリと、
前記メモリに保持されている前記ＥＤＩＤを書き換える書換部と、
前記ＨＰＤ信号の出力を制御するＨＰＤ制御部と、
受信された前記ＡＶ信号がＨＤＭＩ（登録商標）規格に準拠したＨＤＭＩ（登録商標）信号か、ＤＶＩ（Ｄｉｇｉｔａｌ  Ｖｉｓｕａｌ  Ｉｎｔｅｒｆａｃｅ）規格に準拠したＤＶＩ信号かを判定し、前記ＤＶＩ信号と判定した場合、前記メモリに保持されている前記ＥＤＩＤの書き換えを前記書換部に命令するとともに、書き換えられた前記ＥＤＩＤの読み出しが可能であることを示す前記ＨＰＤ信号の出力を前記ＨＰＤ制御部に命令する判定処理部とを備える
ＡＶ信号送受信システム。
【請求項２】
前記判定処理部は、
ＨＤＭＩ（登録商標）規格によって規定されるＤａｔａ  Ｉｓｌａｎｄに属する信号が、前記ＡＶ信号に含まれていれば、前記ＡＶ信号がＨＤＭＩ（登録商標）信号であると判定し、前記Ｄａｔａ  Ｉｓｌａｎｄに属する信号が含まれていなければ、前記ＡＶ信号がＤＶＩ信号であると判定する
請求項１に記載のＡＶ信号送受信システム。
【請求項３】
前記判定処理部は、
ＨＤＭＩ（登録商標）規格によって規定されるＤａｔａ  Ｉｓｌａｎｄに属する信号の前または後に配置される信号であるＧｕａｒｄ  Ｂａｎｄが、前記ＡＶ信号に含まれていれば、前記ＡＶ信号がＨＤＭＩ（登録商標）信号であると判定し、前記Ｇｕａｒｄ  Ｂａｎｄが含まれていなければ、前記ＡＶ信号がＤＶＩ信号であると判定する
請求項１に記載のＡＶ信号送受信システム。
【請求項４】
前記判定処理部は、
ＨＤＭＩ（登録商標）規格によって規定されるＤａｔａ  Ｉｓｌａｎｄに属する信号であって、前記ＡＶ信号によって示される映像の態様を示す信号であるＡＶＩ  ＩｎｆｏＦｒａｍｅが、前記ＡＶ信号に含まれていれば、前記ＡＶ信号がＨＤＭＩ（登録商標）信号であると判定し、前記ＡＶＩ  ＩｎｆｏＦｒａｍｅが含まれていなければ、前記ＡＶ信号がＤＶＩ信号であると判定する
請求項１に記載のＡＶ信号送受信システム。
【請求項５】
前記メモリは、
前記ソース機器によって読み出される前記ＥＤＩＤである読出対象ＥＤＩＤを保持するとともに、
ＨＤＭＩ（登録商標）規格によって規定された、所定の機関を識別するためのコードを含むＶＳＤＢ（Ｖｅｎｄｏｒ−Ｓｐｅｃｉｆｉｃ  Ｄａｔａ  Ｂｌｏｃｋ）を１つのみ有する第１のＥＤＩＤと、それぞれ所定の機関を識別するための互いに異なるコードを含む複数のＶＳＤＢを有する第２のＥＤＩＤとを保持し、
前記書換部は、
前記第１および第２のＥＤＩＤのうちの何れか一方と同一内容を示す前記読出対象ＥＤＩＤを、前記第１および第２のＥＤＩＤのうちの他方に書き換える
請求項１〜４の何れか１項に記載のＡＶ信号送受信システム。
【請求項６】
前記書換部は、
前記第２のＥＤＩＤと同一内容を示す前記読出対象ＥＤＩＤを、前記第１のＥＤＩＤに書き換える
請求項５に記載のＡＶ信号送受信システム。
【請求項７】
前記メモリは、
前記ソース機器によって読み出される前記ＥＤＩＤである読出対象ＥＤＩＤを保持するとともに、
ＨＤＭＩ（登録商標）規格によって規定された、それぞれ所定の機関を識別するための互いに異なるコードを含む複数のＶＳＤＢ（Ｖｅｎｄｏｒ−Ｓｐｅｃｉｆｉｃ  Ｄａｔａ  Ｂｌｏｃｋ）を有する第１のＥＤＩＤと、前記第１のＥＤＩＤにおいて配置される前記複数のＶＳＤＢの順番と異なる順番に配置された前記複数のＶＳＤＢを有する第２のＥＤＩＤとを保持し、
前記書換部は、
前記第１および第２のＥＤＩＤのうちの何れか一方と同一内容を示す前記読出対象ＥＤＩＤを、前記第１および第２のＥＤＩＤのうちの他方に書き換える
請求項１〜４の何れか１項に記載のＡＶ信号送受信システム。
【請求項８】
前記判定処理部は、
前記ＡＶ信号がＤＶＩ信号であると判定した場合、当該判定から予め定められた期間が経過したか否を判別し、前記予め定められた期間が経過したと判別したときに、前記書換部に対して前記ＥＤＩＤの書き換えを命令する
請求項１〜７の何れか１項に記載のＡＶ信号送受信システム。
【請求項９】
前記判定処理部は、
前記ＡＶ信号がＤＶＩ信号であると判定した場合、出力される前記ＨＰＤ信号のレベルをＨｉｇｈからＬｏｗに下げて再びＨｉｇｈに上げることを前記ＨＰＤ制御部に実行させることによって、書き換えられた前記ＥＤＩＤの読み出しが可能であることを示す前記ＨＰＤ信号を、前記ＨＰＤ制御部から前記ソース機器に出力させる
請求項１〜８の何れか１項に記載のＡＶ信号送受信システム。
【請求項１０】
ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介してソース機器に接続されるシンク機器であって、
前記ソース機器から送信されたＡＶ信号を、前記ＨＤＭＩ（登録商標）ケーブルを介して受信する受信部と、
前記シンク機器の能力を示すデータであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保持するメモリと、
前記メモリに保持されている前記ＥＤＩＤを書き換える書換部と、
ＨＰＤ（Ｈｏｔ  Ｐｌｕｇ  Ｄｅｔｅｃｔ）信号の前記ＨＤＭＩ（登録商標）ケーブルを介した前記ソース機器への出力を制御するＨＰＤ制御部と、
受信された前記ＡＶ信号がＨＤＭＩ（登録商標）規格に準拠したＨＤＭＩ（登録商標）信号か、ＤＶＩ（Ｄｉｇｉｔａｌ  Ｖｉｓｕａｌ  Ｉｎｔｅｒｆａｃｅ）規格に準拠したＤＶＩ信号かを判定し、前記ＤＶＩ信号と判定した場合、前記メモリに保持されている前記ＥＤＩＤの書き換えを前記書換部に命令するとともに、書き換えられた前記ＥＤＩＤの読み出しが可能であることを示す前記ＨＰＤ信号の出力を前記ＨＰＤ制御部に命令する判定処理部とを備える
シンク機器。
【請求項１１】
ソース機器と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して前記ソース機器に接続されたシンク機器との間でＡＶ信号を送受信するＡＶ信号送受信方法であって、
前記ソース機器が、前記シンク機器の能力を示すデータであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、前記ＨＤＭＩ（登録商標）ケーブルを介して前記シンク機器から読み出す読出ステップと、
前記ソース機器が、読み出された前記ＥＤＩＤを解析する解析ステップと、
前記ソース機器が、前記ＥＤＩＤの解析結果に応じたＡＶ信号を、前記ＨＤＭＩ（登録商標）ケーブルを介して前記シンク機器に送信する送信ステップと、
前記シンク機器が、前記ＨＤＭＩ（登録商標）ケーブルを介して前記ＡＶ信号を受信する受信ステップと、
前記シンク機器が、受信された前記ＡＶ信号がＨＤＭＩ（登録商標）規格に準拠したＨＤＭＩ（登録商標）信号か、ＤＶＩ（Ｄｉｇｉｔａｌ  Ｖｉｓｕａｌ  Ｉｎｔｅｒｆａｃｅ）規格に準拠したＤＶＩ信号かを判定する判定ステップと、
前記シンク機器が、前記ＡＶ信号が前記ＤＶＩ信号であると判定した場合、前記シンク機器のメモリに保持されている既に読み出された前記ＥＤＩＤを書き換える書換ステップと、
前記シンク機器が、書き換えられた前記ＥＤＩＤの読み出しが可能であることを示すＨＰＤ（Ｈｏｔ  Ｐｌｕｇ  Ｄｅｔｅｃｔ）信号を、前記ＨＤＭＩ（登録商標）ケーブルを介して前記ソース機器に出力するＨＰＤ制御ステップと、
を含むＡＶ信号送受信方法。
【請求項１２】
ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して、ソース機器からＡＶ信号を受信するＡＶ信号受信方法であって、
前記ＨＤＭＩ（登録商標）ケーブルを介して前記ＡＶ信号を受信する受信ステップと、
受信された前記ＡＶ信号がＨＤＭＩ（登録商標）規格に準拠したＨＤＭＩ（登録商標）信号か、ＤＶＩ（Ｄｉｇｉｔａｌ  Ｖｉｓｕａｌ  Ｉｎｔｅｒｆａｃｅ）規格に準拠したＤＶＩ信号かを判定する判定ステップと、
前記ＡＶ信号が前記ＤＶＩ信号であると判定した場合、メモリに保持されている既に読み出されたＥＤＩＤ（Ｅｘｔｅｎｄｅｄ  Ｄｉｓｐｌａｙ  Ｉｄｅｎｔｉｆｉｃａｔｉｏｎ  Ｄａｔａ）を書き換える書換ステップと、
書き換えられた前記ＥＤＩＤの読み出しが可能であることを示すＨＰＤ（Ｈｏｔ  Ｐｌｕｇ  Ｄｅｔｅｃｔ）信号を、前記ＨＤＭＩ（登録商標）ケーブルを介して前記ソース機器に出力するＨＰＤ制御ステップと、
を含むＡＶ信号受信方法。
【発明の詳細な説明】
【技術分野】
【０００１】
本開示は、ソース機器とシンク機器との間でＡＶ信号を送受信するシステムおよび方法などに関する。
【背景技術】
【０００２】
従来、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して互いに接続されたソース機器とシンク機器との間で、ＡＶ信号を送受信するＡＶ信号送受信システムが提案されている（非特許文献１参照）。このＡＶ信号送受信システムでは、ソース機器は、シンク機器の能力をそのシンク機器から読み出し、その能力に応じたＡＶ信号をシンク機器に送信する。これにより、シンク機器は、自らの能力に応じた画質または音質などで映像または音声を再生することができる。
【先行技術文献】
【非特許文献】
【０００３】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｌ  Ｖｅｒｓｉｏｎ  １．３ａ  Ｎｏｖｅｍｂｅｒ  １０，２００６
【発明の概要】
【発明が解決しようとする課題】
【０００４】
本開示は、ＡＶ信号を適切に受信することができるＡＶ信号送受信システム等を提供する。
【課題を解決するための手段】
【０００５】
本開示におけるＡＶ信号送受信システムは、ソース機器と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブルを介して前記ソース機器に接続されたシンク機器とを含むＡＶ信号送受信システムであって、前記ソース機器は、前記シンク機器の能力を示すデータであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、前記ＨＤＭＩ（登録商標）ケーブルを介して前記シンク機器から読み出す読出部と、読み出された前記ＥＤＩＤを解析する解析部と、前記ＨＤＭＩ（登録商標）ケーブルを介してＡＶ信号を前記シンク機器に送信する送信部と、前記ＥＤＩＤの解析結果に応じたＡＶ信号の送信を前記送信部に命令するとともに、前記シンク機器から前記ＨＤＭＩ（登録商標）ケーブルを介して受信されるＨＰＤ（Ｈｏｔ  Ｐｌｕｇ  Ｄｅｔｅｃｔ）信号に応じて、前記ＥＤＩＤの読み出しを前記読出部に命令する制御部とを備え、前記シンク機器は、前記ＨＤＭＩ（登録商標）ケーブルを介して前記ＡＶ信号を受信する受信部と、前記ＥＤＩＤを保持するメモリと、前記メモリに保持されている前記ＥＤＩＤを書き換える書換部と、前記ＨＰＤ信号の出力を制御するＨＰＤ制御部と、受信された前記ＡＶ信号がＨＤＭＩ（登録商標）規格に準拠したＨＤＭＩ（登録商標）信号か、ＤＶＩ（Ｄｉｇｉｔａｌ  Ｖｉｓｕａｌ  Ｉｎｔｅｒｆａｃｅ）規格に準拠したＤＶＩ信号かを判定し、前記ＤＶＩ信号と判定した場合、前記メモリに保持されている前記ＥＤＩＤの書き換えを前記書換部に命令するとともに、書き換えられた前記ＥＤＩＤの読み出しが可能であることを示す前記ＨＰＤ信号の出力を前記ＨＰＤ制御部に命令する判定処理部とを備える。
【発明の効果】
【０００６】
本開示におけるＡＶ信号送受信システムは、ＡＶ信号を適切に受信することができる。
【図面の簡単な説明】
【０００７】
【図１】図１は、実施の形態におけるＡＶ信号送受信システムの構成を示す構成図である。
【図２】図２は、実施の形態におけるソース機器およびシンク機器のそれぞれの構成を示すブロック図である。
【図３】図３は、実施の形態におけるＴＭＤＳラインを介して送信されるＨＤＭＩ（登録商標）信号の構成を示す図である。
【図４】図４は、実施の形態における、ＴＭＤＳピリオドに含まれるＣｏｎｔｒｏｌと、Ｄａｔａ  Ｉｓｌａｎｄと、Ｖｉｄｅｏ  Ｄａｔａとにおいて送信されるデータを詳細に示す図である。
【図５】図５は、実施の形態におけるＥＤＩＤの構成を示す図である。
【図６】図６は、実施の形態におけるＥＤＩＤの書き換えの一例を説明するための図である。
【図７】図７は、実施の形態におけるＥＤＩＤの書き換えの他の例を説明するための図である。
【図８】図８は、実施の形態におけるＡＶ信号送受信システムのシーケンス図である。
【図９】図９は、実施の形態におけるシンク機器の処理動作を示すフローチャートである。
【発明を実施するための形態】
【０００８】
本発明者は、「背景技術」の欄において記載した、非特許文献１のＡＶ信号送受信システムに関し、以下の課題が生じることを見出した。
【０００９】
通常、ＨＤＭＩ（登録商標）ケーブルで接続されたソース機器とシンク機器では、まず、ソース機器がシンク機器内のＥＤＩＤ（Ｅｘｔｅｎｄｅｄ  Ｄｉｓｐｌａｙ  Ｉｄｅｎｔｉｆｉｃａｔｉｏｎ  Ｄａｔａ）を、ＨＤＭＩ（登録商標）ケーブル内のＤＤＣラインを使って読み出す。このＥＤＩＤは、シンク機器の能力を示す複数のデータブロックからなるデータである。例えば、ＥＤＩＤは、解像度１０８０ｐが可能か否か、４Ｋ解像度が可能か否か、３Ｄ表示が可能か否か、５．１ｃｈ音声が可能か否かなどを示す。
【００１０】
次に、ソース機器は、その読み出されたＥＤＩＤに基づいて、送信される映像と音声のフォーマットを決定する。例えば、ソース機器は、映像のフォーマットを、３８４０ｘ２１６０／６０Ｐ／ＹＣｂＣｒ４：４：４／８ｂｉｔ−ｄｅｐｔｈに決定する。または、ソース機器は、音声のフォーマットをＬＰＣＭ（Ｌｉｎｅａｒ  Ｐｕｌｓｅ  Ｃｏｄｅ  Ｍｏｄｕｌａｔｉｏｎ）  ２ｃｈ等に決定する。
【００１１】
次に、ソース機器は、決定されたフォーマットの、映像および音声のうちの少なくとも一方を示すＡＶ信号をシンク機器に送信する。このとき、ソース機器は、上述の映像と音声のそれぞれのフォーマットに関する情報であるｓｉｇｎａｌ  ｐｒｏｐｅｒｔｙを、ｂｌａｎｋｉｎｇ  ｐｅｒｉｏｄ内のＩｎｆｏＦｒａｍｅパケット構成を用いて、シンク機器に伝送する。そして、シンク機器は、受信したＡＶ信号を、ＩｎｆｏＦｒａｍｅ情報を参照しながら、再生および表示する。
【００１２】
しかし、ソース機器において、読み出されたＥＤＩＤの内容を解析するプロセッサは、ＥＤＩＤ内の一部のデータブロックを正しく解析することができないことがある。この原因には、ソース機器における解析エラーまたはバグ等がある。
【００１３】
例えば、シンク機器のＥＤＩＤが正しいシンタックスで記載されているにもかかわらず、ソース機器は、解析エラーなどによって、期待とは異なるＡＶ信号を送信することがある。その結果、シンク機器において表示品質の問題が生じる。例えば、音声を含まないＤＶＩ  ｆｏｒｍａｔ  ｓｉｇｎａｌ（ＤＶＩ信号）がＡＶ信号としてシンク機器に送出されることがある。また、ｐｉｘｅｌ  ｅｎｃｏｄｉｎｇ  ｆｏｒｍａｔがＹＣｂＣｒであるにもかかわらずＲＧＢであるかのようなＩｎｆｏＦｒａｍｅ情報を付与したＡＶ信号がシンク機器に伝送されることがある。
【００１４】
このような問題を起こすソース機器のほとんどは、シンク機器がＨＤＭＩ（登録商標）信号の受信能力を提示しているにも関わらず、その能力を示すＥＤＩＤのうちの一部のデータブロックに対する解析エラーにより、ＡＶ信号をＤＶＩ信号として送信することが分かっている。
【００１５】
そこで、本開示におけるシンク機器は、受信されたＡＶ信号がＨＤＭＩ（登録商標）規格に準拠したＨＤＭＩ（登録商標）信号か、ＤＶＩ規格に準拠したＤＶＩ信号かを判定する。そして、ＤＶＩ信号と判定した場合、シンク機器は、メモリに保持されているＥＤＩＤを書き換えるとともに、書き換えられたＥＤＩＤの読み出しが可能であることを示すＨＰＤ信号を出力する。
【００１６】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１７】
なお、発明者（ら）は、当業者が本開示を十分に理解するために添付図面および以下の説明を提供するのであって、これらによって請求の範囲に記載の主題を限定することを意図するものではない。
【００１８】
（実施の形態）
［１．概要］
図１は、本実施の形態におけるＡＶ信号送受信システムの構成を示す構成図である。
【００１９】
本実施の形態におけるＡＶ信号送受信システム１０は、ソース機器２００と、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）ケーブル３００を介してそのソース機器２００に接続されたシンク機器１００とを含む。
【００２０】
ソース機器２００は、例えば、録画再生装置、パーソナルコンピュータ、ＤＶＤプレーヤまたはＢＤレコーダなどであって、映像および音声のうちの少なくとも一方を示すＡＶデータを保持し、そのＡＶデータをＡＶ信号として送信する。
【００２１】
シンク機器１００は、例えば、ＴＶまたはプロジェクタなどであって、ＡＶ信号を受信して、そのＡＶ信号によって示される映像および音声の少なくとも一方を送信する。
【００２２】
ソース機器２００は、シンク機器１００のＥＤＩＤ（Ｅｘｔｅｎｄｅｄ  Ｄｉｓｐｌａｙ  Ｉｄｅｎｔｉｆｉｃａｔｉｏｎ  Ｄａｔａ）を読み出し（図１の（１））、そのＥＤＩＤに応じたＡＶ信号をシンク機器１００に送信する（図１の（２））。
【００２３】
シンク機器１００は、ソース機器２００から送信されるＡＶ信号がＨＤＭＩ（登録商標）信号かＤＶＩ信号に応じて、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）を書き換える（図１の（３））。そして、ソース機器２００は、その書き換えられたＥＤＩＤをシンク機器１００から再読み出しする（図１の（４））。
【００２４】
このように、ソース機器２００が、例えばＥＤＩＤを正しく解析することができずに、ＡＶ信号をＤＶＩ信号として送信したときには、ＥＤＩＤの書き換えと、その再読み込みが実行される。つまり、シンク機器１００によってＥＤＩＤが書き換えられて、その書き換えられたＥＤＩＤの再読み出しがソース機器２００によって実行される。その結果、ソース機器２００が、書き換えられたＥＤＩＤを正しく解析することができたときには、ソース機器２００からＡＶ信号をＤＶＩ信号としてではなくＡＶ信号として送信させることができる。これにより、シンク機器１００はＡＶ信号を適切に受信することができる。
【００２５】
［２．構成］
以下、本実施の形態におけるＡＶ信号送受信システムについて詳細に説明する。
【００２６】
図２は、本実施の形態におけるソース機器２００およびシンク機器１００のそれぞれの構成を示すブロック図である。
【００２７】
ソース機器２００は、ＡＶ信号送信部２１０と、制御部２２０と、ＥＤＩＤ読出部２３０と、ＥＤＩＤ解析部２４０とを備えている。
【００２８】
ＡＶ信号送信部２１０は、制御部２２０からの送信命令に応じて、ＨＤＭＩ（登録商標）ケーブル３００に含まれるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）ラインを介して、ＡＶ信号をシンク機器１００に送信する。
【００２９】
ＥＤＩＤ読出部２３０は、制御部２２０からの読出命令に応じて、ＨＤＭＩ（登録商標）ケーブル３００に含まれるＤＤＣ（Ｄｉｓｐｌａｙ  Ｄａｔａ  Ｃｈａｎｎｅｌ）ラインを介して、シンク機器１００のメモリ１４０にアクセスする。そして、ＥＤＩＤ読出部２３０は、そのメモリ１４０に格納されている、シンク機器１００の能力を示すＥＤＩＤを、ＤＤＣラインを介して読み出す。
【００３０】
ＥＤＩＤ解析部２４０は、ＥＤＩＤ読出部２３０によって読み出されたＥＤＩＤを解析し、その解析結果を制御部２２０に通知する。
【００３１】
制御部２２０は、ＥＤＩＤの解析結果に応じたＡＶ信号の送信をＡＶ信号送信部２１０に命令する。この命令は、制御部２２０が上述の送信命令をＡＶ信号送信部２１０に出力することによって行われる。
【００３２】
ここで、制御部２２０は、解析結果に応じて、ＡＶ信号送信部２１０から送信されるＡＶ信号のフォーマットを変更することがある。そのフォーマットは、ＨＤＭＩ（登録商標）規格に準拠したＨＤＭＩ（登録商標）信号のフォーマット、またはＤＶＩ（Ｄｉｇｉｔａｌ  Ｖｉｓｕａｌ  Ｉｎｔｅｒｆａｃｅ）規格に準拠したＤＶＩ信号のフォーマットである。
【００３３】
つまり、制御部２２０は、解析結果に応じて、ＡＶ信号をＨＤＭＩ（登録商標）信号としてＡＶ信号送信部２１０から送信させたり、ＡＶ信号をＤＶＩ信号としてＡＶ信号送信部２１０から送信させたりすることがある。
【００３４】
また、制御部２２０は、ＨＤＭＩ（登録商標）ケーブル３００に含まれるＨＰＤ（Ｈｏｔ  Ｐｌｕｇ  Ｄｅｔｅｃｔ）ラインを介してシンク機器１００から受信されるＨＰＤ信号の出力レベルを監視する。制御部２２０は、ＨＰＤ信号の出力レベルがＬｏｗからＨｉｇｈに変わると、ＥＤＩＤの読み出しをＥＤＩＤ読出部２３０に命令する。この命令は、制御部２２０が上述の読出命令をＥＤＩＤ読出部２３０に出力することによって行われる。
【００３５】
シンク機器１００は、ＡＶ信号受信部１１０と、判定処理部１２０と、書換部１３０と、メモリ１４０と、ＨＰＤ制御部１５０とを備える。
【００３６】
ＡＶ信号受信部１１０は、ソース機器２００から送信されたＡＶ信号を、ＨＤＭＩ（登録商標）ケーブル３００のＴＭＤＳラインを介して受信する。
【００３７】
メモリ１４０は、ＥＤＩＤ  ＲＯＭ（Ｒｅａｄ  Ｏｎｌｙ  Ｍｅｍｏｒｙ）であって、ＥＤＩＤを保持している。
【００３８】
書換部１３０は、メモリ１４０に保持されているＥＤＩＤを書き換える。
【００３９】
ＨＰＤ制御部１５０は、ＨＰＤ信号の出力を制御する。
【００４０】
判定処理部１２０は、例えばＴＭＤＳデコーダとして構成されており、ＡＶ信号受信部１１０によって受信されたＡＶ信号がＨＤＭＩ（登録商標）規格に準拠したＨＤＭＩ（登録商標）信号か、ＤＶＩ規格に準拠したＤＶＩ信号かを判定する。
【００４１】
ここで、判定処理部１２０は、ＡＶ信号がＤＶＩ信号であると判定した場合、メモリ１４０に保持されているＥＤＩＤの書き換えを書換部１３０に命令する。この命令は、判定処理部１２０がＥＤＩＤ書換信号を書換部１３０に出力することによって行われる。さらに、この場合、判定処理部１２０は、書き換えられたＥＤＩＤの読み出しが可能であることを示すＨＰＤ信号の出力をＨＰＤ制御部１５０に命令する。この命令は、判定処理部１２０がＨＰＤ制御信号をＨＰＤ制御部１５０に出力することによって行われる。
【００４２】
また、判定処理部１２０は、ＡＶ信号がＤＶＩ信号である場合には、そのＡＶ信号に基づく映像を再生して表示部１６１に表示させる。一方、ＡＶ信号がＨＤＭＩ（登録商標）信号である場合には、判定処理部１２０は、そのＡＶ信号に基づく映像および音声を再生して、表示部１６１に映像を表示させるとともに、スピーカ１６２から音声を出力させる。
【００４３】
図３は、ＴＭＤＳラインを介して送信されるＨＤＭＩ（登録商標）信号の構成を示す図である。
【００４４】
ＨＤＭＩ（登録商標）規格に準拠したＡＶ信号、つまりＨＤＭＩ（登録商標）信号は、ＴＭＤＳピリオドにおいて送信される。このＴＭＤＳピリオドは、Ｃｏｎｔｒｏｌと、Ｄａｔａ  Ｉｓｌａｎｄと、Ｖｉｄｅｏ  Ｄａｔａとを含む。
【００４５】
Ｖｉｄｅｏ  Ｄａｔａにはビデオ信号が送信され、Ｃｏｎｔｒｏｌには制御信号が送信され、Ｄａｔａ  Ｉｓｌａｎｄにはオーディオ信号が送信される。
【００４６】
図４は、ＴＭＤＳピリオドに含まれるＣｏｎｔｒｏｌと、Ｄａｔａ  Ｉｓｌａｎｄと、Ｖｉｄｅｏ  Ｄａｔａとにおいて送信されるデータを詳細に示す図である。
【００４７】
この図４に示すように、Ｄａｔａ  Ｉｓｌａｎｄには、オーディオ信号（Ａｕｄｉｏ  Ｓａｍｐｌｅｓ）が送信されるとともに、ＡＶ信号の態様を示す信号であるＡＶＩ  ＩｎｆｏＦｒａｍｅが送信される。なお、ＡＶＩは、Ａｕｘｉｌｉａｒｙ  Ｖｉｄｅｏ  ｉｎｆｏｒｍａｔｉｏｎの略称である。さらに、Ｄａｔａ  Ｉｓｌａｎｄの直前と直後には、そのＤａｔａ  Ｉｓｌａｎｄの境界を示すためのＧｕａｒｄ  Ｂａｎｄという例えば１０ビットからなる信号が送信される。
【００４８】
判定処理部１２０は、このように、ＨＤＭＩ（登録商標）規格によって規定されるＤａｔａ  Ｉｓｌａｎｄに属する信号がＡＶ信号に含まれていれば、そのＡＶ信号がＨＤＭＩ（登録商標）信号であると判定する。一方、判定処理部１２０は、Ｄａｔａ  Ｉｓｌａｎｄに属する信号がＡＶ信号に含まれていなければ、そのＡＶ信号がＤＶＩ信号であると判定する。または、判定処理部１２０は、ＨＤＭＩ（登録商標）規格によって規定されるＤａｔａ  Ｉｓｌａｎｄに属する信号の前または後に配置される信号であるＧｕａｒｄ  ＢａｎｄがＡＶ信号に含まれていれば、そのＡＶ信号がＨＤＭＩ（登録商標）信号であると判定する。一方、判定処理部１２０は、Ｇｕａｒｄ  ＢａｎｄがＡＶ信号に含まれていなければ、そのＡＶ信号がＤＶＩ信号であると判定する。または、判定処理部１２０は、ＨＤＭＩ（登録商標）規格によって規定されるＤａｔａ  Ｉｓｌａｎｄに属し、前記ＡＶ信号の態様を示す信号であるＡＶＩ  ＩｎｆｏＦｒａｍｅがＡＶ信号に含まれていれば、そのＡＶ信号がＨＤＭＩ（登録商標）信号であると判定する。一方、判定処理部１２０は、ＡＶＩ  ＩｎｆｏＦｒａｍｅがＡＶ信号に含まれていなければ、そのＡＶ信号がＤＶＩ信号であると判定する。
【００４９】
図５は、ＥＤＩＤの構成を示す図である。
【００５０】
ＥＤＩＤは、１２８バイトの基本ブロック（Ｂｌｏｃｋ０）と、１２８バイトの拡張ブロック（Ｂｌｏｃｋ１）とからなる。
【００５１】
拡張ブロックは、複数のデータブロックを含む。具体的には、これらのデータブロックは、Ｖｉｄｅｏ  Ｄａｔａ  Ｂｌｏｃｋと、Ｖｅｎｄｏｒ−Ｓｐｅｃｉｆｉｃ  Ｄａｔａ  Ｂｌｏｃｋ（ＶＳＤＢ）とである。Ｖｉｄｅｏ  Ｄａｔａ  Ｂｌｏｃｋは、映像のフォーマットなどを示し、複数バイトからなるＳＶＤ（Ｓｈｏｒｔ  Ｖｉｄｅｏ  Ｄｅｓｃｒｉｐｔｏｒ）リストを含む。ＶＳＤＢは、ベンダーによって定義されたシンク機器１００の能力を示す。
【００５２】
また、これらのデータブロックの先頭には、そのデータブロックの種別とデータサイズとを示す１バイトの情報（以下、先頭情報という）が含まれている。先頭情報は８ビットから構成され、そのうちの先頭３ビットがデータブロックの種別（Ｔａｇ  Ｃｏｄｅ）を示す。また、その先頭３ビットに続く５ビットが、データブロックのうちの先頭情報に続く部分（以降、後続情報という）のデータサイズを示す。
【００５３】
例えば、「６７」によって示される先頭情報は、先頭３ビット「０１１」と、その先頭３ビットに続く５ビット「００１１１」とを含む。先頭３ビット「０１１」は、その先頭情報を含むデータブロックの種別がＶＳＤＢであることを示す。さらに、その先頭３ビットに続く５ビット「００１１１」は、ＶＳＤＢに含まれる後続情報が７バイトあることを示す。
【００５４】
また、「６５」によって示される先頭情報は、先頭３ビット「０１１」と、その先頭３ビットに続く５ビット「００１０１」とを含む。先頭３ビット「０１１」は、その先頭情報を含むデータブロックの種別がＶＳＤＢであることを示す。さらに、その３ビットに続く５ビット「００１０１」は、ＶＳＤＢに含まれる後続情報が５バイトあることを示す。
【００５５】
このように、ＥＤＩＤは、先頭情報「６７」を含む第１のＶＳＤＢと、先頭情報「６５」を含む第２のＶＳＤＢとを含むように、複数のＶＳＤＢを含むことがある。ここで、ＶＳＤＢの後続情報の先頭３バイト（２４ビット）は、ベンダーを識別するためのコード（以下、ベンダーコードという）を示す。このベンダーコードは、ＩＥＥＥのＯＵＩ（Ｏｒｇａｎｉｚａｔｉｏｎａｌｌｙ  Ｕｎｉｑｕｅ  Ｉｄｅｎｔｉｆｉｅｒ）であって、例えば、０ｘ０００Ｃ０３を示す。
【００５６】
このようなベンダーコードは、同じベンダーに割り当てられる場合であっても、変更されることがある。例えば、所定のベンダーに対して割り当てられていたベンダーコード「０ｘＡＡＡＡＡＡ」が、ベンダーコード「０ｘＢＢＢＢＢＢ」に変更される。このような場合、図５に示すように、ＥＤＩＤは、ベンダーコードが異なる複数のＶＳＤＢを含む。第１のＶＳＤＢが変更前の古いＶＳＤＢであり、第２のＶＳＤＢが変更後の新しいＶＳＤＢである。ここで、後続情報は、そのベンダーコードに基づいて解析される。したがって、ソース機器２００は、ベンダーコードが新しいベンダーコードに変更されると、変更前の古い第１のＶＳＤＢの後続情報を正しく解析することができても、新しい第２のＶＳＤＢの後続情報を正しく解析することができない場合がある。このように、後続情報を正しく解析することができなかったソース機器２００は、ＡＶ信号をＤＶＩ信号として送信することがある。
【００５７】
図６は、ＥＤＩＤの書き換えの一例を説明するための図である。
【００５８】
本実施の形態における書換部１３０は、ＥＤＩＤを書き換えるときには、例えば図６に示すように、ＥＤＩＤに含まれる第１のＶＳＤＢと第２のＶＳＤＢのうち、新しいベンダーコードを有する第２のＶＳＤＢを削除する。これにより、ソース機器２００は、新しいベンダーコードを有する第２のＶＳＤＢがＥＤＩＤに含まれていないため、そのＥＤＩＤを正しく解析することができる。その結果、ソース機器２００は、第１のＶＳＤＢに対して正しく解析された結果に応じたＡＶ信号、つまりＨＤＭＩ（登録商標）信号をシンク機器１００に送信することができる。
【００５９】
または、書換部１３０は、ＥＤＩＤを書き換えるときには、ＥＤＩＤに含まれる第１のＶＳＤＢと第２のＶＳＤＢの順番を入れ替える。つまり、書換部１３０は、第１のＶＳＤＢ、第２のＶＳＤＢの順を、第２のＶＳＤＢ、第１のＶＳＤＢの順に変更する。
【００６０】
例えば、ソース機器２００は、ＥＤＩＤに含まれる複数のデータブロックを、そのＥＤＩＤに配置されている順にしたがって順次解析する。このとき、ソース機器２００は、同一種類の複数のデータブロックを順次解析する際に、最新のデータブロックを解析すると、そのときの解析結果のみを残し、以前のデータブロックの解析結果を破棄することがある。
【００６１】
しかし、上述のように、第１のＶＳＤＢと第２のＶＳＤＢの順番が第２のＶＳＤＢ、第１のＶＳＤＢの順に書き換えられると、ソース機器２００では、第２のＶＳＤＢに対する解析結果が破棄される。つまり、新しいベンダーコードを有する第２のＶＳＤＢに対して誤って解析された結果が破棄される。言い換えれば、ソース機器２００は、古いベンダーコードを有する第１のＶＳＤＢの解析結果、つまり、正しく解析された結果のみを保持する。したがって、ソース機器２００は、その第１のＶＳＤＢに対して正しく解析された結果に応じたＡＶ信号、つまりＨＤＭＩ（登録商標）信号をシンク機器１００に送信することができる。
【００６２】
または、書換部１３０は、ＥＤＩＤを書き換えるときには、ＥＤＩＤに第１のＶＳＤＢをさらに追加する。つまり、書換部１３０は、第１のＶＳＤＢに続いて第２のＶＳＤＢが書き込まれているＥＤＩＤに対して、その第２のＶＳＤＢの後に続けて第１のＶＳＤＢを書き込む。
【００６３】
この場合にも、上述の順番の入れ替えと同様に、ソース機器２００では、第２のＶＳＤＢに対する解析結果が破棄され、第１のＶＳＤＢの解析結果、つまり、正しく解析された結果のみを保持する。したがって、ソース機器２００は、その第１のＶＳＤＢに対して正しく解析された結果に応じたＡＶ信号、つまりＨＤＭＩ（登録商標）信号をシンク機器１００に送信することができる。
【００６４】
上述の例では、書換部１３０は、ＥＤＩＤの一部を書き換えたが、ＥＤＩＤそのものを書き換えてもよい。
【００６５】
図７は、ＥＤＩＤの書き換えの他の例を説明するための図である。
【００６６】
ソース機器２００によって読み出されるデータの領域は、メモリ１４０の記録領域のうち、０バイト目〜２５５バイト目の領域である。つまり、ソース機器２００は、メモリ１４０の２５６バイト目以降の領域のデータを読み出すことはない。そこで、メモリ１４０は、記録領域のうちの０バイト目〜２５５バイト目までの領域に読出対象ＥＤＩＤを保持し、２５６バイト目以降の領域に、第１のＥＤＩＤと第２のＥＤＩＤとを保持しておいてもよい。
【００６７】
例えば、第１のＥＤＩＤは、第１のＶＳＤＢおよび第２のＶＳＤＢを含むＥＤＩＤであって、第２のＥＤＩＤは、第１のＶＳＤＢおよび第２のＶＳＤＢのうち、第１のＶＳＤＢのみを含むＥＤＩＤである。または、第１のＥＤＩＤと第２のＥＤＩＤとでは、それぞれに含まれる第１のＶＳＤＢおよび第２のＶＳＤＢの順番が異なっている。または、第１のＥＤＩＤは、第１のＶＳＤＢ、第２のＶＳＤＢの順でこれらのＶＳＤＢを含むＥＤＩＤであって、第２のＥＤＩＤは、第１のＶＳＤＢ、第２のＶＳＤＢ、第１のＶＳＤＢの順でこれらのＶＳＤＢを含むＥＤＩＤである。
【００６８】
この場合、本実施の形態における書換部１３０は、ＥＤＩＤを書き換えるときには、第１のＥＤＩＤと、第２のＥＤＩＤとのうちの何れか一方を、読出対象ＥＤＩＤに上書きすることによって、その読出対象ＥＤＩＤを書き換える。読出対象ＥＤＩＤは、第１のＥＤＩＤまたは第２のＥＤＩＤである。読出対象ＥＤＩＤが第１のＥＤＩＤである場合には、書換部１３０は、第１のＥＤＩＤである読出対象ＥＤＩＤを、第２のＥＤＩＤに書き換える。一方、読出対象ＥＤＩＤが第２のＥＤＩＤである場合には、書換部１３０は、第２のＥＤＩＤである読出対象ＥＤＩＤを、第１のＥＤＩＤに書き換える。
【００６９】
また、書き換えが行われたときにも、第１のＥＤＩＤと第２のＥＤＩＤとはメモリ１４０に常に保持されている。したがって、書換部１３０は、書き換えられた読出対象ＥＤＩＤを、書き換え前のＥＤＩＤ（第１のＥＤＩＤまたは第２のＥＤＩＤ）に戻すことができる。このような、書き換えられたＥＤＩＤを、書き換え前のＥＤＩＤに戻すことは、どのようなタイミングで行われてもよい。また、書き換え前のＥＤＩＤに戻すことなく、書き換えられたＥＤＩＤを維持していてもよい。
【００７０】
［３．動作］
図８は、本実施の形態におけるＡＶ信号送受信システム１０のシーケンス図である。
【００７１】
まず、シンク機器１００は、ＨＤＭＩ（登録商標）ケーブル３００によってソース機器２００に接続されると、ＨＰＤ信号の出力レベルをＬｏｗからＨｉｇｈに切り替える（ステップＳ１０１）。ソース機器２００は、ＨＰＤ信号の出力レベルがＬｏｗからＨｉｇｈに変化したことを認識すると、シンク機器１００のメモリ１４０にアクセスする（ステップＳ１０２）。そして、ソース機器２００は、そのメモリ１４０に保持されているＥＤＩＤを読み出す（ステップＳ１０３）。なお、このステップＳ１０３は、ソース機器２００が、シンク機器１００の能力を示すデータであるＥＤＩＤを、ＨＤＭＩ（登録商標）ケーブル３００を介してシンク機器１００から読み出す読出ステップである。
【００７２】
次に、ソース機器２００は、その読み出されたＥＤＩＤを解析する（ステップＳ１０４）。なお、このステップＳ１０４は、ソース機器２００が、読み出されたＥＤＩＤを解析する解析ステップである。このとき、ソース機器２００は、ＥＤＩＤを正しく解析することができなかった場合、ＡＶ信号をＤＶＩ信号としてシンク機器１００に送信する（ステップＳ１０５）。なお、このステップＳ１０５は、ソース機器２００が、ＥＤＩＤの解析結果に応じたＡＶ信号を、ＨＤＭＩ（登録商標）ケーブル３００を介してシンク機器１００に送信する送信ステップである。
【００７３】
シンク機器１００は、ソース機器２００からＡＶ信号を受信すると、そのＡＶ信号がＤＶＩ信号であると判定する（ステップＳ１０６）。なお、このステップＳ１０６は、受信ステップと判定ステップとを含む。受信ステップでは、シンク機器１００が、ＨＤＭＩ（登録商標）ケーブル３００を介してＡＶ信号を受信する。判定ステップでは、シンク機器１００が、受信されたＡＶ信号がＨＤＭＩ（登録商標）規格に準拠したＨＤＭＩ（登録商標）信号か、ＤＶＩ規格に準拠したＤＶＩ信号かを判定する。上述のように、ステップＳ１０６では、シンク機器１００は、ＡＶ信号がＤＶＩ信号であると判定する。
【００７４】
このとき、シンク機器１００は、受信されたＤＶＩ信号に基づく映像の再生を開始する。そして、シンク機器１００は、ステップＳ１０６の判定から予め定められた期間が経過すると、メモリ１４０に保持されているＥＤＩＤ（上述の読出対象ＥＤＩＤ）を書き換える（ステップＳ１０７）。なお、このステップＳ１０７は、シンク機器１００が、ＡＶ信号がＤＶＩ信号であると判定した場合、シンク機器１００のメモリに保持されている既に読み出されたＥＤＩＤを書き換える書換ステップである。
【００７５】
シンク機器１００は、その読出対象ＥＤＩＤの書き換えが完了すると、ＨＰＤ信号の出力レベルを変更する。つまり、シンク機器１００は、ＨＰＤ信号の出力レベルをＨｉｇｈからＬｏｗに戻し、さらに、そのＬｏｗをＨｉｇｈに切り換える（ステップＳ１０８）。なお、ステップＳ１０８は、シンク機器１００が、書き換えられたＥＤＩＤの読み出しが可能であることを示すＨＰＤ（Ｈｏｔ  Ｐｌｕｇ  Ｄｅｔｅｃｔ）信号を、ＨＤＭＩ（登録商標）ケーブル３００を介してソース機器２００に出力するＨＰＤ制御ステップである。
【００７６】
これにより、書き換えられたＥＤＩＤの読み出しが可能であることを示すＨＰＤ信号がソース機器２００に出力される。
【００７７】
ソース機器２００は、ＨＰＤ信号の出力レベルがＬｏｗからＨｉｇｈに変化したことを認識すると、シンク機器１００のメモリ１４０にアクセスする（ステップＳ１０９）。そして、ソース機器２００は、そのメモリ１４０に保持されているＥＤＩＤ、つまり書き換えられた読出対象ＥＤＩＤを読み出す（ステップＳ１１０）。
【００７８】
次に、ソース機器２００は、その読み出されたＥＤＩＤを解析する（ステップＳ１１１）。ここで、ソース機器２００は、ＥＤＩＤを正しく解析することができた場合、ＡＶ信号をＨＤＭＩ（登録商標）信号としてシンク機器１００に送信する（ステップＳ１１２）。
【００７９】
シンク機器１００は、ソース機器２００からＡＶ信号を受信すると、そのＡＶ信号がＨＤＭＩ（登録商標）信号であると判定し、そのＡＶ信号に基づいて、映像および音声のうちの少なくとも一方を再生する（ステップＳ１１３）。つまり、シンク機器１００は、ＤＶＩ信号に基づく映像の再生を、ＨＤＭＩ（登録商標）信号に基づく映像または音声の再生に変更する。
【００８０】
図９は、本実施の形態におけるシンク機器１００の処理動作を示すフローチャートである。
【００８１】
シンク機器１００は、まず、ＨＰＤ信号の出力レベルをＬｏｗからＨｉｇｈに切り換える（ステップＳ２０１）。そして、シンク機器１００は、ＨＤＭＩ（登録商標）ケーブル３００を介してＡＶ信号を受信する（受信ステップＳ２０２）。このとき、シンク機器１００は、その受信されたＡＶ信号がＨＤＭＩ（登録商標）信号であるかＤＶＩ信号であるかを判定する（判定ステップＳ２０３）。ここで、シンク機器１００は、受信されたＡＶ信号がＨＤＭＩ（登録商標）信号であると判定すると（判定ステップＳ２０３のＨＤＭＩ（登録商標））、そのＡＶ信号に基づいて、映像および音声のうちの少なくとも一方を再生する（ステップＳ２０８）。
【００８２】
一方、シンク機器１００は、受信されたＡＶ信号がＤＶＩ信号であると判定すると（判定ステップＳ２０３のＤＶＩ）、そのＤＶＩ信号に基づいて映像を再生する（ステップＳ２０４）。そして、シンク機器１００は、ＡＶ信号がＤＶＩ信号であると判定されてから予め定められた期間（所定期間）が経過したか否かを判別する（ステップＳ２０５）。ここで、所定期間が経過していないと判別すると（ステップＳ２０５のＮｏ）、シンク機器１００は、所定期間が経過するまでＤＶＩ信号に基づく映像を再生し続ける（ステップＳ２０４）。一方、所定期間が経過したと判別すると（ステップＳ２０５のＹｅｓ）、シンク機器１００は、ＥＤＩＤを書き換える（書換ステップＳ２０６）。そして、シンク機器１００は、ＨＰＤ信号の出力レベルをＨｉｇｈからＬｏｗに戻し、さらに、その出力レベルをＬｏｗからＨｉｇｈに切り換える（ＨＰＤ制御ステップＳ２０７）。
【００８３】
［４．効果］
以上のように、ＡＶ信号送受信システム１０は、ソース機器２００と、ＨＤＭＩ（登録商標）ケーブル３００を介してソース機器２００に接続されたシンク機器１００とを含む。ソース機器２００は、ＥＤＩＤ読出部２３０と、ＥＤＩＤ解析部２４０と、ＡＶ信号送信部２１０と、制御部２２０とを備える。ＥＤＩＤ読出部２３０は、シンク機器１００の能力を示すデータであるＥＤＩＤを、ＨＤＭＩ（登録商標）ケーブル３００を介してシンク機器１００から読み出す。ＥＤＩＤ解析部２４０は、読み出されたＥＤＩＤを解析する。ＡＶ信号送信部２１０は、ＨＤＭＩ（登録商標）ケーブル３００を介してＡＶ信号をシンク機器１００に送信する。制御部２２０は、ＥＤＩＤの解析結果に応じたＡＶ信号の送信をＡＶ信号送信部２１０に命令する。さらに、制御部２２０は、シンク機器１００からＨＤＭＩ（登録商標）ケーブル３００を介して受信されるＨＰＤ信号に応じて、ＥＤＩＤの読み出しをＥＤＩＤ読出部２３０に命令する。また、シンク機器１００は、ＡＶ信号受信部１１０と、メモリ１４０と、書換部１３０と、ＨＰＤ制御部１５０と、判定処理部１２０とを備える。ＡＶ信号受信部１１０は、ＨＤＭＩ（登録商標）ケーブル３００を介してＡＶ信号を受信する。メモリ１４０は、ＥＤＩＤを保持する。書換部１３０は、メモリ１４０に保持されているＥＤＩＤを書き換える。ＨＰＤ制御部１５０は、ＨＰＤ信号の出力を制御する。判定処理部１２０は、受信されたＡＶ信号がＨＤＭＩ（登録商標）規格に準拠したＨＤＭＩ（登録商標）信号か、ＤＶＩ規格に準拠したＤＶＩ信号かを判定する。そして、判定処理部１２０は、ＡＶ信号がＤＶＩ信号と判定した場合、メモリ１４０に保持されているＥＤＩＤの書き換えを書換部１３０に命令する。さらに、判定処理部１２０は、書き換えられたＥＤＩＤの読み出しが可能であることを示すＨＰＤ信号の出力をＨＰＤ制御部１５０に命令する。
【００８４】
これにより、ソース機器２００が、例えばＥＤＩＤを正しく解析することができずに、ＡＶ信号をＤＶＩ信号として送信したときには、ＥＤＩＤの書き換えと、その再読み出しが実行される。つまり、シンク機器１００によってＥＤＩＤが書き換えられて、その書き換えられたＥＤＩＤの再読み出しがソース機器２００によって実行される。その結果、ソース機器２００が、書き換えられたＥＤＩＤを正しく解析することができたときには、ソース機器２００からＡＶ信号をＤＶＩ信号としてではなくＨＤＭＩ（登録商標）信号として送信させることができる。これにより、シンク機器１００はＡＶ信号を適切に受信することができる。
【００８５】
例えば、判定処理部１２０は、ＨＤＭＩ（登録商標）規格によって規定されるＤａｔａ  Ｉｓｌａｎｄに属する信号が、ＡＶ信号に含まれていれば、そのＡＶ信号がＨＤＭＩ（登録商標）信号であると判定する。一方、判定処理部１２０は、Ｄａｔａ  Ｉｓｌａｎｄに属する信号がＡＶ信号に含まれていなければ、そのＡＶ信号がＤＶＩ信号であると判定する。
【００８６】
これにより、シンク機器１００はＡＶ信号がＨＤＭＩ（登録商標）信号であるかＤＶＩ信号であるかを適切に判定することができる。
【００８７】
または、判定処理部１２０は、ＨＤＭＩ（登録商標）規格によって規定されるＤａｔａ  Ｉｓｌａｎｄに属する信号の前または後に配置される信号であるＧｕａｒｄ  Ｂａｎｄが、ＡＶ信号に含まれていれば、そのＡＶ信号がＨＤＭＩ（登録商標）信号であると判定する。一方、判定処理部１２０は、Ｇｕａｒｄ  ＢａｎｄがＡＶ信号に含まれていなければ、そのＡＶ信号がＤＶＩ信号であると判定してもよい。
【００８８】
これによっても、シンク機器１００はＡＶ信号がＨＤＭＩ（登録商標）信号であるかＤＶＩ信号であるかを適切に判定することができる。
【００８９】
または、判定処理部１２０は、ＨＤＭＩ（登録商標）規格によって規定されるＤａｔａ  Ｉｓｌａｎｄに属する信号であって、ＡＶ信号によって示される映像の態様を示す信号であるＡＶＩ  ＩｎｆｏＦｒａｍｅが、ＡＶ信号に含まれていれば、そのＡＶ信号がＨＤＭＩ（登録商標）信号であると判定する。一方、判定処理部１２０は、ＡＶＩ  ＩｎｆｏＦｒａｍｅがＡＶ信号に含まれていなければ、そのＡＶ信号がＤＶＩ信号であると判定してもよい。
【００９０】
これによっても、シンク機器１００はＡＶ信号がＨＤＭＩ（登録商標）信号であるかＤＶＩ信号であるかを適切に判定することができる。
【００９１】
また、メモリ１４０は、図７に示すように、ソース機器２００によって読み出されるＥＤＩＤである読出対象ＥＤＩＤを保持するとともに、第１および第２のＥＤＩＤを保持していてもよい。第１のＥＤＩＤは、ＨＤＭＩ（登録商標）規格によって規定された、所定の機関を識別するためのコードを含むＶＳＤＢを１つのみ有する。第２のＥＤＩＤは、それぞれ所定の機関を識別するための互いに異なるコードを含む複数のＶＳＤＢを有する。この場合、書換部１３０は、第１および第２のＥＤＩＤのうちの何れか一方と同一内容を示す読出対象ＥＤＩＤを、第１および第２のＥＤＩＤのうちの他方に書き換える。
【００９２】
これにより、読出対象ＥＤＩＤを、第１のＥＤＩＤに書き換えたり、第２のＥＤＩＤに書き換えたりすることができる。つまり、読み出されるＥＤＩＤを、第１のＥＤＩＤと第２のＥＤＩＤとで切り換えることができる。
【００９３】
ここで、書換部１３０は、第２のＥＤＩＤと同一内容を示す読出対象ＥＤＩＤを、第１のＥＤＩＤに書き換えてもよい。
【００９４】
これにより、２つのＶＳＤＢを有する読出対象ＥＤＩＤが、ＶＳＤＢを１つのみ有する第１のＥＤＩＤに切り換えられるため、ソース機器２００によるＥＤＩＤの解析エラーを抑えることができ、シンク機器１００はＡＶ信号を適切に受信することができる。また、読出対象ＥＤＩＤの初期値として第２のＥＤＩＤがメモリに書き込まれている。したがって、ソース機器２００の適用能力が高ければ、ソース機器２００は、シンク機器１００の例えば最新の能力または機能に応じたＡＶ信号をそのシンク機器１００に送信することができる。
【００９５】
また、第１のＥＤＩＤは、ＨＤＭＩ（登録商標）規格によって規定された、それぞれ所定の機関を識別するための互いに異なるコードを含む複数のＶＳＤＢを有していてもよい。この場合、第２のＥＤＩＤは、第１のＥＤＩＤにおいて配置される複数のＶＳＤＢの順番と異なる順番に配置された複数のＶＳＤＢを有する。そして、書換部１３０は、第１および第２のＥＤＩＤのうちの何れか一方と同一内容を示す読出対象ＥＤＩＤを、第１および第２のＥＤＩＤのうちの他方に書き換える。
【００９６】
この場合でも、読出対象ＥＤＩＤを、第１のＥＤＩＤに書き換えたり、第２のＥＤＩＤに書き換えたりすることができる。つまり、読み出されるＥＤＩＤを、第１のＥＤＩＤと第２のＥＤＩＤとで切り換えることができる。また、何れか一方のＥＤＩＤに切り換えられることによって、ソース機器２００によるＥＤＩＤの解析エラーを抑えることができ、シンク機器１００はＡＶ信号を適切に受信することができる。
【００９７】
また、判定処理部１２０は、ＡＶ信号がＤＶＩ信号であると判定した場合、その判定から予め定められた期間が経過したか否を判別し、予め定められた期間が経過したと判別したときに、書換部１３０に対してＥＤＩＤの書き換えを命令してもよい。
【００９８】
これにより、ＤＶＩ信号として構成されるＡＶ信号がシンク機器１００によって受信されると、シンク機器１００ではＤＶＩ信号に基づく映像が表示される。しかし、そのＡＶ信号がＤＶＩ信号であると判定された直後に、ＥＤＩＤの書き換えと再読み出しが行われてしまうと、その表示されている映像が、直ぐにＨＤＭＩ（登録商標）信号に基づく映像に切り換わってしまう。したがって、シンク機器１００の視聴者に対して違和感を与えてしまう。そこで、上述のように、その判定から予め定められた期間が経過したときに、ＥＤＩＤの書き換えを行うことによって、その違和感を低減することができるとともに、ソース機器２００に対して安定動作させることができる。
【００９９】
また、判定処理部１２０は、ＡＶ信号がＤＶＩ信号であると判定した場合、出力されるＨＰＤ信号のレベルをＨｉｇｈからＬｏｗに下げて再びＨｉｇｈに上げることをＨＰＤ制御部１５０に実行させてもよい。その結果、判定処理部１２０は、書き換えられたＥＤＩＤの読み出しが可能であることを示すＨＰＤ信号を、ＨＰＤ制御部１５０からソース機器２００に出力させる。
【０１００】
これにより、ＨＰＤ信号のレベルの変更によって、ソース機器２００にＥＤＩＤの再読み出しを促すことができるため、書き換え後のＥＤＩＤに基づくＡＶ信号をソース機器２００から簡単に送信させることができる。
【０１０１】
なお、本実施の形態におけるシンク機器１００およびソース機器２００のそれぞれの全体または一部は集積回路、マイクロプロセッサまたはマイクロコンピュータによって構成されていてもよい。例えば、ソース機器２００では、制御部２２０、ＥＤＩＤ読出部２３０およびＥＤＩＤ解析部２４０を含むユニットが、マイクロプロセッサによって構成される。また、シンク機器１００では、判定処理部１２０、書換部１３０およびＨＰＤ制御部１５０を含むユニットが、マイクロプロセッサによって構成される。また、シンク機器１００およびソース機器２００のそれぞれの処理動作は、マイクロプロセッサがコンピュータプログラムを読み込んで実行することによって実現されてもよい。
【０１０２】
以上のように、本開示における技術の例示として、実施の形態を説明した。そのために、添付図面および詳細な説明を提供した。
【０１０３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０４】
また、上述の実施の形態は、本開示における技術を例示するためのものであるから、請求の範囲またはその均等の範囲において種々の変更、置き換え、付加、省略などを行うことができる。
【産業上の利用可能性】
【０１０５】
本開示は、ＡＶ信号を適切に受信することができるＡＶ信号送受信システムなどに適用可能である。具体的には、例えばＤＶＤプレーヤまたはＢＤレコーダなどのソース機器と、ＴＶなどのシンク機器とを含むＡＶ信号送受信システムなどに、本開示は適用可能である。
【符号の説明】
【０１０６】
１０      ＡＶ信号送受信システム
１００    シンク機器
１１０    ＡＶ信号受信部
１２０    判定処理部
１３０    書換部
１４０    メモリ
１５０    ＨＰＤ制御部
２００    ソース機器
２１０    ＡＶ信号送信部
２２０    制御部
２３０    ＥＤＩＤ読出部
２４０    ＥＤＩＤ解析部
３００    ＨＤＭＩ（登録商標）ケーブル
【図１】
0006447934.tif 000002
【図２】
0006447934.tif 000003
【図３】
0006447934.tif 000004
【図４】
0006447934.tif 000005
【図５】
0006447934.tif 000006
【図６】
0006447934.tif 000007
【図７】
0006447934.tif 000008
【図８】
0006447934.tif 000009
【図９】
0006447934.tif 000010